(57)【要約】【課題】サッシを施工するための足場を壁の屋外側に組む必要がなく、サッシを容易に施工することができるサッシの取付構造を提供する。【解決手段】壁１に形成された開口部２にサッシＡを取り付けるサッシの取付構造に関する。固定片３を開口部２の内方に向けて突出する枠体４を開口部２の内縁部に取り付ける。枠体４に屋内側からサッシＡを近づけると共にサッシＡの外周部に突設した当接片５を枠体４の固定片３に当接させて枠体４の内側にサッシＡを配置する。サッシＡを固定部材６で枠体４の内側に固定する。サッシＡを壁１の屋内側から施工することができる。【選択図】  図１
2004360257.tif 000002
【特許請求の範囲】
【請求項１】
壁に形成された開口部にサッシを取り付けるにあたって、固定片を開口部の内方に向けて突出する枠体を開口部の内縁部に取り付け、枠体に屋内側からサッシを近づけると共にサッシの外周部に突設した当接片を枠体の固定片に当接させて枠体の内側にサッシを配置し、サッシを固定部材で枠体の内側に固定して成ることを特徴とするサッシの取付構造。
【請求項２】
開口部の下部内縁部に水止め堰を設けて成ることを特徴とする請求項１に記載のサッシの取付構造。
【発明の詳細な説明】
【０００１】
【発明の属する技術分野】
本発明は、ステンレス鋼やアルミニウムなどで形成されるサッシの取付構造に関するものである。
【０００２】
【従来の技術】
サッシ枠とその内側に嵌合されたサッシ扉体とからなるサッシは、壁に屋内外方向に貫通する開口部を形成すると共にこの開口部にサッシを嵌め込んで固定することによって施工されていた（例えば、特許文献１参照）。
【０００３】
【特許文献１】
特開平９−２９６６５６号公報（特許請求の範囲等）
【０００４】
【発明が解決しようとする課題】
しかし、従来のサッシは壁の屋外側から施工しており、壁の屋外側にサッシを施工するための足場が組みにくい場合、例えば、超高層ビルの高層部分や壁の屋外側にスペースが確保できない場合などでは、サッシの施工を行うことが難しいという問題があった。
【０００５】
本発明は上記の点に鑑みてなされたものであり、サッシを施工するための足場を壁の屋外側に組む必要がなく、サッシを容易に施工することができるサッシの取付構造を提供することを目的とするものである。
【０００６】
【課題を解決するための手段】
本発明の請求項１に係るサッシの取付構造は、壁１に形成された開口部２にサッシＡを取り付けるにあたって、固定片３を開口部２の内方に向けて突出する枠体４を開口部２の内縁部に取り付け、枠体４に屋内側からサッシＡを近づけると共にサッシＡの外周部に突設した当接片５を枠体４の固定片３に当接させて枠体４の内側にサッシＡを配置し、サッシＡを固定部材６で枠体４の内側に固定して成ることを特徴とするものである。
【０００７】
本発明では、上記の構成により、サッシＡを壁１の屋内側から施工することができ、サッシＡを施工するための足場を組む必要がなくなって、サッシＡを容易に施工することができるものである。
【０００８】
また、本発明の請求項２に係るサッシの取付構造は、請求項１に加えて、開口部２の下部内縁部に水止め堰７を設けて成ることを特徴とするものである。
【０００９】
本発明では、上記の構成により、水止め堰７で壁１の屋外側から屋内側へ雨水等が浸入しにくくなり、水密性を高めることができるものである。
【００１０】
【発明の実施の形態】
以下、本発明の実施の形態を説明する。
【００１１】
図１、２に本発明の実施の形態の一例を示す。本発明において、建物の壁１は複数枚のパネル１ａを縦横に並べると共に各パネル１ａの屋内側面を壁下地３０の屋外側面に固定することによって形成されている。パネル１ａとしては二枚の金属板２２、２３の間に芯材２４を充填して形成されるサンドイッチパネルが用いられている。また、パネル１ａとしては下端部に略全長に亘って嵌合凸部２０を、上端部に略全長に亘って嵌合凹部２１をそれぞれ設けたものが用いられており、縦方向（上下方向）に隣接するパネル１ａ、１ａは嵌合凸部２０と嵌合凹部２１の凹凸嵌合により接続されるものである。さらに、パネル１ａとしては両方の側端部に目地片２５を突設したものが用いられており、横方向（水平方向）に隣接するパネル１ａ、１ａは目地片２５同士を対向あるいは当接して配置されるものである。上記の目地片２５はパネル１ａの表側の金属板２２の側端部を略全長に亘って折り曲げて断面略Ｌ字状に形成されているが、他の形状や他の加工方法で形成することもできる。また、壁下地３０は、縦方向に長い縦胴縁３１を横方向に複数本並べると共に横方向に長い横胴縁３２を縦方向に複数本並べることによって、格子状に形成されている。
【００１２】
尚、本発明において、複数枚のパネル１ａを縦横に並べて形成するだけに限らず、例えば、通常のコンクリート壁であっても良い。また、パネル１ａとしてはサンドイッチパネルだけでなく、例えば、軽量コンクリートパネルや木板等であってもよい。また、パネル１ａの金属板２２、２３としては亜鉛めっき鋼板や塗装鋼板等を、芯材２４としてはロックウールやグラスウールなどの無機質材やウレタンフォームなどの樹脂発泡体などをそれぞれ例示することができるが、これらに限定されるものではなく、金属板２２、２３や芯材２４としては公知のものを用いることができる。さらに、パネル１ａの側端部には目地定形パッキン７０が設けられている。
【００１３】
上記の壁１には屋内外方向に貫通する開口部２が形成されている。複数枚のパネル１ａを縦横に並べて壁１を形成した場合、隣り合う一対のパネル１ａ、１ａを直接接続せずに所定の間隙（サッシＡが配置可能な間隔）を介して並設することによって、四方がパネル１ａ、１ａ…で囲まれた略四角形の開口部２を形成することができる。従って、開口部２の上縁部は開口部２の直上に配置されたパネル１ａの下端部で形成されるものであり、開口部２の下縁部は開口部２の直下に配置されたパネル１ａの上端部で形成されるものであり、開口部２の側縁部は開口部２の直横に配置されたパネル１ａの側端部で形成されるものである。また、開口部２の上縁部を構成するパネル１ａの下部は開口部２の直上の横胴縁３２に固定されており、開口部２の下縁部を構成するパネル１ａの上部は開口部２の直下の横胴縁３２に固定されており、開口部２の側端部を構成するパネル１ａの側部は開口部２の直下の横胴縁３２に固定されている。尚、壁１がパネル１ａで構成されるものではなく、通常のコンクリート壁である場合は、壁１に屋内外方向に貫通する孔を設けて開口部２を形成することができる。
【００１４】
上記の壁１の開口部２の内縁部（内周部）には略四角形の枠体４が全周に亘って設けられている。枠体４はステンレス鋼やアルミニウムなどの金属で形成されるものであって、屋外側枠体４０と屋内側枠体４１とで構成されるものである。また、屋外側枠体４０は四つの外枠材４２により四角枠状に形成されていると共に屋内側枠体４１は四つの内枠材４３により四角枠状に形成されている。
【００１５】
外枠材４２はサッシＡの当接片５が当接される固定片３と、固定片３の先端から屋内側に向かって突出する突出片５０と、突出片５０の先端からパネル１ａの方に向かって突出する連結片５１と、連結片５１の先端から屋外側に向かって突出する支持片５２と、支持片５２の先端からパネル１ａの開口縁部の屋外側面に沿って配置される断面略Ｌ字状の覆い片５３とで形成されている。
【００１６】
また、上記の外枠材４２の覆い片５３の屋内側面にはパッキン６０が設けられていると共に覆い片５３の先端には他のパッキン６１が設けられている。また、外枠材４２の固定片３の屋内側面にはパッキン６２が設けられている。また、外枠材４２の連結片５１の屋内側面にはネオプレンゴム等で形成される断熱ガスケット６３が設けられている。パッキン６０、６２及び断熱ガスケット６３は屋外側枠体４０の全周（枠体４の全周）に亘って両面接着テープなどの接着手段により固定されている。また、パッキン６１は屋外側枠体４０の上部の外枠材４２のみに装着されている。また、連結片５１及び断熱ガスケット６３には厚み方向に貫通する複数個のボルト孔が形成されており、このボルト孔に対応させてナット６４が両面接着テープなどの接着手段により連結片５１の屋外側面に固定されている。さらに、外枠材４２の突出片５０と支持片５２の間には連結片５１と対向するように化粧シーリング６５が屋外側枠体４０の全周に亘って施されており、連結片５１と化粧シーリング６５の間が排水経路５９として形成されている。
【００１７】
内枠材４３は外枠材４２の連結片５１と結合される結合片５５と、結合片５５の先端から屋内側に向かって突出する延出片５６と、延出片５６の先端からパネル１ａの方に向かって突出する取付片５７と、取付片５７の先端から屋内側に向かって突出する固着片５８とで形成されている。また、上記の結合片５５には厚み方向に貫通する複数個のボルト孔が形成されている。
【００１８】
そして、屋外側枠体４０と屋内側枠体４１とで構成される枠体４を開口部２の内縁部に取り付けるにあたっては次のようにして行う。まず、開口部２の下部開口縁部を構成するパネル１ａの上端部にキャップ６６を略全長に亘って装着する。このキャップ６６は下側が開口する断面略コ字状に形成されるものであって、キャップ６６によりパネル１ａの上端部を覆うことによりパネル１ａの上端部の凹凸を覆い隠して平坦化するものである。また、キャップ６６の上面には片状の水止め堰７が全長に亘って設けられており、これにより、開口部２の下部内縁部に開口部２の内方に向かって突出する水止め堰７が設けられている。
【００１９】
次に、屋外側枠体４０を開口部２の全周に亘って配置する。ここで、屋外側枠体４０の上部と側部に設けたパッキン６０、６１は開口部２の屋外側縁部に当接させ、屋外側枠体４０の下部に設けたパッキン６０、６１はキャップ６６の屋外側面に当接させるものである。また、水止め堰７は屋外側枠体４０の下部に設けた断熱ガスケット６３に下側に配置するようにする。次に、屋内側枠体４１を開口部２の全周に亘って配置する。ここで、屋内側枠体４１の結合片５５の屋外側面は屋外側枠体４０の断熱ガスケット６３の屋内側面に当接させるようにする。
【００２０】
そして、屋内側枠体４１の固着片５８を縦胴縁３１と横胴縁３２にビス等の固定具６７で固定すると共に連結片５１と断熱ガスケット６３及び結合片５５を貫通するボルト孔にボルト６８を差し込んでナット６４と螺合することによって、屋外側枠体４０と屋内側枠体４１とを一体化して枠体４を形成すると共にこの枠体４を開口部２の全周に亘って配置して壁下地３０に固定することができる。この時、枠体４の下部において連結片５１と結合片５５とに挟まれて水止め堰７が配置されることになり、これにより、連結片５１と結合片５５の間を通じて壁１の屋外側から屋内側へ雨水等が浸入しにくくなり、水密性を高めることができるものである。また、断熱ガスケット６３は連結片５１と結合片５５とで挟まれて厚み方向に押し潰されて浸水防止用の堰としても兼用されるものである。また、ボルト６８の頭部を屋内側枠体４１の結合片５５の屋内側面に金属接着剤（メタルグリップ）等で固着して回り止めを施すことができる。さらに、固着片５８の表面と縦胴縁３１や横胴縁３２の表面との間にライナーを装着して密着性を高めるようにしてもよい。
【００２１】
上記のようにして開口部２の内方（内側）に向かって固定片３が突出するように開口部２の内縁部に枠体４を取り付けた後、枠体４の内側にサッシＡを配置して取り付ける。サッシＡは公知のものをそのまま使用することができ、ステンレス鋼やアルミニウムなどの金属で形成される略四角枠状のサッシ枠７０と、サッシ枠７０の内側に嵌合される板状のサッシ扉体７１とで形成されるものを用いることができる。サッシ枠７０の外周には、開口部２の縁部に取り付けられた枠体４の固定片３と対向する当接片５が全周に亘って突設されている。また、サッシ枠７０の外周には一対の係止片７２が設けられている。一対の係止片７２は一方が屋外側、他方が屋内側に設けられており、互いに対向するように配置されている。また、サッシ扉体７１はサッシ枠７０内で移動可能（開閉可能）としてもよいし移動不能（はめ殺し）としてもよく、さらに、サッシ扉体７１はガラス板を備えたものであってもよい。
【００２２】
そして、枠体４の内側にサッシＡを取り付けるにあたっては、開口部２の縁部に配設した枠体４の屋内側からサッシＡを近づけると共に、サッシＡの外周部（外周面）に突設した当接片５の屋外側面を枠体４の固定片３の屋内側面に当接させる。この時、固定片３の屋内側面にはパッキン６２が設けられているので、このパッキン６２を介して当接片５の屋外側面が固定片３の屋内側面に間接的に当接するものであり、パッキン６２は当接片５と固定片３との間に介在することになる。尚、本発明において、パッキン６２を用いることなく、当接片５と固定片３とを直接的に当接させるようにしてもよい。
【００２３】
上記のようにして枠体４の内側にサッシＡを配置した後、このサッシＡを複数個の固定部材６で壁下地３０に固定する。固定部材６は一端に被係止片７５を、他端に接合片７６をそれぞれ設けて形成されており、被係止片７５をサッシＡの一対の係止片７２で屋内外方向から挟んで被係止片７５を一対の係止片７２に係止すると共に接合片７６をビス等の固定具で壁下地３０に固定することによって、枠体４の内側にサッシＡを取り付けることができる。そして、この後、サッシＡの当接片５と枠体４の突出片４０との間にシーリング７７を施して防水性を高めるようにするのである。
【００２４】
【発明の効果】
上記のように本発明の請求項１の発明は、壁に形成された開口部にサッシを取り付けるにあたって、固定片を開口部の内方に向けて突出する枠体を開口部の内縁部に取り付け、枠体に屋内側からサッシを近づけると共にサッシの外周部に突設した当接片を枠体の固定片に当接させて枠体の内側にサッシを配置し、サッシを固定部材で枠体の内側に固定するので、サッシを壁の屋内側から施工することができ、サッシを施工するための足場を組む必要がなくなって、サッシを容易に施工することができるものである。
【００２５】
また本発明の請求項２の発明は、開口部の下部内縁部に水止め堰を設けるので、水止め堰で壁の屋外側から屋内側へ雨水等が浸入しにくくなり、水密性を高めることができるものである。
【図面の簡単な説明】
【図１】本発明の実施の形態の一例を示す縦断面図である。
【図２】同上の横断面図である。
【符号の説明】
１  壁
２  開口部
３  固定片
４  枠体
５  当接片
６  固定部材
７  水止め堰
Ａ  サッシ
【図１】
2004360257.tif 000003
【図２】
2004360257.tif 000004